(57)【特許請求の範囲】
【請求項１】
非常事態が発生したときに操作され非常信号を発信する非常ボタンと、
前記非常事態の発生前に操作され要請信号を発信する要請ボタンと前記非常事態の恐れが無くなった後に操作されキャンセル信号を発信するキャンセルボタンを有する発信機と、
コントローラと、
警備センターとを具備するセキュリティシステムであって、
前記コントローラは、
前記非常ボタンからの前記非常信号、前記発信機からの前記要請信号または前記キャンセル信号を受信する受信手段と、
遠隔の警備センターへ前記非常信号または前記要請信号を通報する通信手段と、
前記受信手段により前記非常信号を受信したときは前記警備センターに該非常信号を即座に送信し、前記受信手段により前記要請信号を受信したときは計時手段が所定時間を計時するまでに前記キャンセル信号を受信しない場合に前記警備センターに該要請信号を送信する制御部とを有することを特徴としたセキュリティシステム。
【請求項２】
前記発信機は、前記要請信号を送信する要請ボタンと前記キャンセル信号を送信するキャンセルボタンとからなることを特徴とする請求項１記載のセキュリティシステム。
【請求項３】
前記警備センターは、前記コントローラから前記要請信号を受信すると所定の電話を呼び出すことを特徴とした請求項１記載のセキュリティシステム。
【請求項４】
前記警備センターは、コントローラに併設されている電話を呼び出すことを特徴とした請求項１記載のセキュリティシステム。
【請求項５】
前記コントローラは、更に周囲に可聴音を発する報知部を有し、
前記制御部は、前記計時手段が所定時間を計時すると前記報知部から所定の可聴音を発生させることを特徴とする請求項１記載のセキュリティシステム。
【発明の詳細な説明】
【０００１】
【発明の属する技術分野】
本発明は主に家庭用のセキュリティシステムに関し、押し売りやその他不審者に応対したときに、確実に通報を行うことのできるセキュリティシステムに関する。また、押し売りやその他不審者に応対したときに、確実に通報を行うことのできるコントローラに関する。
【０００２】
【従来の技術】
現在、ホームセキュリティシステムにおいて、在宅中の非常事態発生を通報する為に、ユーザー宅に無線式あるいは固定式の非常ボタンが設置されている。
そして、例えば、不審人物などに応対したときにその非常ボタンを操作すると、非常信号が宅内のコントローラを経由して、電話回線等にて遠隔の警備センターに送信され、警備センターでは、対処要員を急行させたり、警察への通報などを行っている。
【０００３】
【発明が解決しようとする課題】
昨今、一般家屋でも外部からの侵入者による凶悪な犯罪が頻発しており、ユーザーが危惧しているのは、来訪者に対して玄関ドアを開けるときである。すなわち玄関ドアを開けて来訪者と応対した時にその来訪者により危害を加えられる不安を感じている。
そして、いざ、不審者と応対した場合に非常ボタンを押す余裕がなかったり、その面前で非常ボタンを押せないことが想定される。
本発明は、上記実情に鑑みてなされたもので、来訪者があり何らかの不安を感じた場合に、来訪者と応対する前にユーザーの状況確認を要請する操作を行うことができる要請機能を有するセキュリティシステムを提供することにある。
また、第2の発明は、また、押し売りやその他不審者に応対したときに、確実に通報を行うことのできるコントローラの提供することにある。
【０００４】
【課題を解決する為の手段】
本願発明のセキュリティシステムでは、前記目的を達成する為に、非常事態が発生したときに操作され非常信号を発信する非常ボタンと、前記非常事態の発生前に操作され要請信号を発信する要請ボタンと前記非常事態の恐れが無くなった後に操作されキャンセル信号を発信するキャンセルボタンを有する発信機と、コントローラと、警備センターとを具備するセキュリティシステムであって、前記コントローラは、前記非常ボタンからの前記非常信号、前記発信機からの前記要請信号または前記キャンセル信号を受信する受信手段と、遠隔の警備センターへ前記非常信号または前記要請信号を通報する通信手段と、前記受信手段により前記非常信号を受信したときは前記警備センターに該非常信号を即座に送信し、前記受信手段により前記要請信号を受信したときは計時手段が所定時間を計時するまでに前記キャンセル信号を受信しない場合に前記警備センターに該要請信号を送信する制御部とを有する。
【０００５】
また、本発明によるセキュリティシステムは、前記発信機が前記要請信号を送信する要請ボタンと前記キャンセル信号を送信するキャンセルボタンとからなることを特徴とする。
【０００６】
さらに、前記警備センターは、前記コントローラから前記要請信号を受信すると所定の電話を呼び出すことを特徴とする。
【０００７】
また、本発明によるセキュリティシステムは、前記警備センターがコントローラに併設されている電話を呼び出すことを特徴とする。
【００１０】
さらに、前記コントローラは、更に周囲に可聴音を発する報知部を有し、前記制御部は、前記計時手段が所定時間を計時すると前記報知部から所定の可聴音を発生させることを特徴とする。
【００１１】
【発明の実施の形態】
図１〜図３を参照して本発明によるセキュリティシステムの一実施例について説明する。
【００１２】
図１は、本発明によるセキュリティシステムの全体構成を示すブロック図である。
１は家屋内に設置されるコントローラである。コントローラ１の構成については後で図２を参照して詳述する。
２は建物への侵入者を検知する侵入センサーで、出入口や窓等に設置され扉・窓等が解放されたときにこれを検知するマグネットセンサー、あるいは人体が放射する赤外線を検出する赤外線センサー等にて構成されている。
３は建物の火災を検知する火災センサーで、熱感知器や煙感知器から構成されている。
４はガス漏れを検出するガスセンサーある。
これらの各センサーはコントローラ１と有線あるいは無線で接続されており、異常を検知するとコントローラ１に信号を送信するようになっている。
【００１３】
５は非常ボタンである。非常ボタン５には操作要請ボタンが設けられ、当該要請ボタンをＯＮすることにより、非常信号がコントローラ１に無線あるいは有線にて送信される。
６は本発明の主要な構成である発信機である。非常ボタン５と同様に要請ボタンが設けられ、当該要請ボタンをＯＮすると要請信号がコントローラ１に無線あるいは有線にて送信される。また発信機６にはキャンセルボタンが設けられており、キャンセルボタンをＯＮすることにより、キャンセル信号がコントローラ１に送信される。
なお、本実施例においては、非常ボタン５と発信機６はコントローラ１と有線または無線にて接続されている旨説明したが、これに係らずコントローラ１に設けられた操作部例えばテンキーや機能ボタンで非常ボタン５と発信機６を構成してもよい。
【００１４】
７は電話機で、コントローラ１と通信回線９を共用している。
８は遠隔の警備センターで、コントローラ１と電話回線等の通信回線９を介して接続されている。
ユーザー宅内で何らかの異常が発生した場合には、コントローラ１から警備センター８に異常信号が送出され、警備センター８では異常信号を受信すると、対処要員を現場に急行させたり、あるいは電話により状況を確認する等の対応を行う。
【００１５】
図２は、コントローラ１の構成を示すブロック図である。
１１は、侵入センサー２、火災センサー３、ガスセンサー４から送信された検知信号を受信するためのセンサーＩ／Ｆである。センサーＩ／Ｆ１１は、センサーから送信される無線信号を受信するための無線受信機能、受信した信号を制御部１６で処理する信号に変換する信号変換機能を有している。１２は、ユーザーがセキュリティシステムの警戒セット・解除操作や各種の設定操作を行うための操作部、１３は、警備モードの表示や異常表示等を行う表示部である。表示部１３は液晶ディスプレーに加えてＬＥＤやブザー等を有している。
操作部１２、表示部１３はタッチパネル式の液晶ディスプレー装置で構成することができる。
【００１６】
１４は、非常ボタン５、発信機６から送信される信号を受信する無線Ｉ／Ｆである。
無線Ｉ／Ｆ１４は非常ボタン５や発信機６から送信される無線信号を受信するための無線受信機能、受信した信号を制御部１６で処理する信号に変換する信号変換機能を有している。
【００１７】
１５は通信回線９に接続された通信部で、必要な時に警備センタ−８にアクセスしてコントローラ１の各種情報を送信する。
１６はＣＰＵ、メモリー等で構成された制御部である。制御部１６は、表示部１３に各種表示画面を表示させたり、操作部１２による入力に基づき警備モードを設定記憶する。また、センサーＩ／Ｆ１１、無線Ｉ／Ｆ１４からの信号を処理したり、通信部１５の通報動作を制御する。
【００１８】
次に図３に示すフローチャートを参照して、本発明に係る要請機能について説明する。
コントローラ１は稼動状態において、各センサー２、３、４及び非常ボタン５、発信機６からの信号の受信があるか否かを監視している。
ここで、例えば訪問者があった場合、ユーザーは玄関ドアを開ける前に、発信機６の要請ボタンをＯＮする。発信機６から要請信号が送信されると無線Ｉ／Ｆ１４はこれを受信し、信号変換して要請信号を制御部１６に送出する。（ステップＳ０１）
【００１９】
制御部１６は要請信号を受信すると、内蔵するタイマーの計時を開始する。（ステップＳ０２）
ユーザーは発信機６の要請ボタンをＯＮした後、玄関ドアを開けて訪問者と応対する。そして、訪問者が安全な人物であることを確認すると、発信機６のキャンセルボタンをＯＮする。
発信機６からキャンセル信号が送信され、無線Ｉ／Ｆ１４はキャンセル信号を受信すると信号変換してキャンセル信号を制御部１６に送出する。
【００２０】
制御部１６はタイマーのタイムアップ前にキャンセル信号を受信すると（ステップＳ０３）、タイマーをリセットして（ステップＳ０４）、ステップＳ０１に戻る。即ち、発信機６の要請ボタンを押しても所定時間例えば５分以内にキャンセル操作すれば、コントローラ１は要請信号を送信することはない。
【００２１】
発信機６の要請ボタンを操作してから所定時間以内に、キャンセル操作が行われない場合には、タイマーがタイムアップして（ステップＳ０５）、コントローラ１は、遠隔の警備センター８に要請信号を送信する。（ステップＳ０６）
又、コントローラ１はタイマーのタイムアップにより、表示部１３のブザーを鳴動する。このブザー鳴動は、例えば電話の呼び出し音に模した鳴動にすると、応対している不審者を刺激することがなく中座することが可能である。また、ユーザーは電話がかかってきたと思わせることで、応対を打ち切ることができる。
【００２２】
警備センター８では、この要請信号を受信すると、通報してきたコントローラ１が設置されているユーザー宅に電話をかけて状況を確認する。
ユーザーはかけられた電話機７を使用して応対するが、ユーザーが何らかの事情により電話に応対することができなければ、警備センター８では、ユーザーに何らかの異常が発生したと判断して、対処要員を急行させたり１１０番通報を行う。
またユーザーは電話機７が着信しての呼出しベルが鳴動すると、例えば、セールスマンの勧誘を断る口実とすることもできる。
【００２３】
ここで、非常通報機能と要請機能の違いを説明しておく。
非常通報機能とは、何らかの非常事態が現に発生した場合に行う通報機能であり、ユーザーはこのような非常事態に遭遇した時点で非常ボタンを操作する。すると、即座に、非常信号がコントローラ１から警備センター８に送出されるものである。
【００２４】
それに対して、要請機能とは、未だ非常事態が発生していないが、その恐れがある場合に行う通報機能である。従って、上記実施例で説明したように、発信機６の要請ボタンを操作した時点で即座に通報動作を行うものではなく、所定時間以内にキャンセル操作が無い場合に初めて通報動作がなされるものである。
【００２５】
前述の非常通報機能では、操作した時点で即座に非常信号が警備センター８に通報されるので、ユーザーは不安を感じていても、実際に、非常事態が発生しないと操作しにくい（異常がないと判った時点で警備センター８に連絡することが煩雑と感じる）。しかし、本発明による要請機能を有したセキュリティシステムでは、後で安全が確認できれば、自ら通報をキャンセルすることができるので、少しでも不安を感じた場合に気兼ねなく操作することができる。
【００２６】
また、発信機６の要請ボタンを操作後に実際に非常事態となった場合にも確実に警備センター８に通報をすることができ、セキュリティシステムにとって本発明が奏する効果は絶大である。
【図面の簡単な説明】
【図１】 本発明によるセキュリティシステムの全体構成を示すブロック図である。
【図２】 本発明によるセキュリティシステムのコントローラの機能構成を示すブロック図である。
【図３】 要請通報動作を説明するフローチャートである。
【符号の説明】
１・・・コントローラ
２・・・侵入センサー
３・・・火災センサー
４・・・ガスセンサー
５・・・非常ボタン
６・・・発信機
７・・・電話機
８・・・警備センター
９・・・通信回線
１１・・・センサーＩ／Ｆ
１２・・・操作部
１３・・・表示部
１４・・・無線Ｉ／Ｆ
１５・・・通信部
１６・・・制御部
【図１】
0004405690.tif 000002
【図２】
0004405690.tif 000003
【図３】
0004405690.tif 000004